【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
ポリエステルを嫌気的生分解性にするのに有効な量で芳香族モノマーを含んでなる脂肪族−芳香族ポリエステル。
【請求項２】
前記芳香族モノマーがテレフタル酸残基を含み、１００モル％に等しいポリエステル中の全二酸残基のモル％に基づき、５モル％以下の前記テレフタル酸残基がイソフタル酸、５−スルホイソフタル酸及び２，６−ナフタレンジカルボン酸からなる群から選ばれた芳香族ジカルボン酸残基で置き換えられている請求項１に記載の脂肪族−芳香族ポリエステル。
【請求項３】
１００モル％に等しいポリエステル中の全二酸残基のモル％に基づき、３９〜４３モル％のテレフタル酸残基を含む請求項２に記載の脂肪族−芳香族ポリエステル。
【請求項４】
１００モル％に等しいポリエステル中の全二酸残基のモル％に基づき、４０〜４２モル％のテレフタル酸残基を含む請求項３に記載の脂肪族−芳香族ポリエステル。
【請求項５】
１００モル％に等しいポリエステル中の全ジオール残基のモル％に基づき、８５〜１００モル％の１，４−ブタンジオール残基並びに０〜１５モル％の、エチレングリコール、ジエチレングリコール及び１，３−プロパンジオールからなる群から選ばれた残基を含む請求項１に記載の脂肪族−芳香族ポリエステル。
【請求項６】
１００モル％に等しいポリエステル中の全二酸残基のモル％に基づき、１５モル％以下のヒドロキシカルボン酸残基を含む請求項１に記載の脂肪族−芳香族ポリエステル。
【請求項７】
前記ヒドロキシカルボン酸残基がγ−ブチロラクトン、カプロラクトン、乳酸、４−ヒドロキシブタン酸，４−ヒドロキシ吉草酸、４−ヒドロキシヘキサン酸、４−ヒドロキシオクタン酸、ポリヒドロキシブチレート、ポリヒドロキシブチレート−ｃｏ−バレレート、ポリヒドロキシブチレート−ｃｏ−オクタノエート、ポリヒドロキシブチレート−ｃｏ−ヘキサノエート、ポリカプロラクトン及びポリ乳酸からなる群から得られる請求項６に記載の脂肪族−芳香族ポリエステル。
【請求項８】
（ａ）１００モル％に等しいポリエステル中の全二酸残基のモル％に基づき、３９〜４３モル％の芳香族ジカルボン酸からの残基及び５７〜６１モル％の非芳香族ジカルボン酸からの残基を含む二酸残基；並びに
（ｂ）１００モル％に等しいポリエステル中の全ジオール残基のモル％に基づき、８５〜１００モル％の１，４−ブタンジオールからの残基及び０〜１５モル％の別のジオールからの残基を含むジオール残基
を含んでなる嫌気的生分解性ポリエステル。
【請求項９】
前記芳香族ジカルボン酸がテレフタル酸、イソフタル酸、５−スルホイソフタル酸及び２，６−ナフタレンジカルボン酸の少なくとも１種からなる群から選ばれる請求項８に記載の嫌気的生分解性ポリエステル。
【請求項１０】
前記非芳香族ジカルボン酸がグルタル酸及びアジピン酸の少なくとも１種からなる群から選ばれる請求項８に記載の嫌気的生分解性ポリエステル。
【請求項１１】
前記の別のジオールがエチレングリコール、ジエチレングリコール、１，３−プロパンジオール、１，５−ペンタンジオール、１，６−ヘキサンジオール及び１，４−シクロヘキサンジメタノールの少なくとも１種からなる群から選ばれる請求項８に記載の嫌気的生分解性ポリエステル。
【請求項１２】
前記二酸残基が芳香族ジカルボン酸からの残基４０〜４２モル％及び非芳香族ジカルボン酸からの残基５８〜６０モル％を含む請求項８に記載の嫌気的生分解性ポリエステル。
【請求項１３】
前記芳香族ジカルボン酸がテレフタル酸であり、且つ前記テレフタル酸の５モル％以下が、イソフタル酸、５−スルホイソフタル酸又は２，６−ナフタレンジカルボン酸で置き換えられる請求項８に記載の嫌気的生分解性ポリエステル。
【請求項１４】
二酸残基の総モルに基づき、１５モル％以下のヒドロキシカルボン酸残基を更に含む請求項８に記載の嫌気的生分解性ポリエステル。
【請求項１５】
前記ヒドロキシカルボン酸残基がγ−ブチロラクトン、カプロラクトン、乳酸、４−ヒドロキシブタン酸、４−ヒドロキシ吉草酸、４−ヒドロキシヘキサン酸、４−ヒドロキシオクタン酸、ポリヒドロキシブチレート、ポリヒドロキシブチレート−ｃｏ−バレレート、ポリヒドロキシブチレート−ｃｏ−オクタノエート、ポリヒドロキシブチレート−ｃｏ−ヘキサノエート、ポリカプロラクトン及びポリ乳酸からなる群に由来する請求項１４に記載の脂肪族−芳香族ポリエステル。
【請求項１６】
（ａ）１００モル％に等しいポリエステル中の全二酸残基のモル％に基づき、３９〜４３モル％のテレフタル酸からの残基及び５７〜６１モル％のアジピン酸からの残基を含む二酸残基；並びに
（ｂ）１００モル％に等しいポリエステル中の全ジオール残基のモル％に基づき、１００モル％の１，４−ブタンジオールからの残基を含むジオール残基
を含んでなる嫌気的生分解性ポリエステル。
【請求項１７】
前記二酸残基がテレフタル酸からの残基４０〜４２モル％及びアジピン酸からの残基５８〜６０モル％を含む請求項１６に記載の嫌気的生分解性ポリエステル。
【請求項１８】
（ａ）１００モル％に等しいポリエステル中の全二酸残基のモル％に基づき３９〜４３モル％のテレフタル酸からの残基及び５７〜６１モル％のグルタル酸からの残基を含む二酸残基；並びに
（ｂ）１００モル％に等しいポリエステル中の全ジオール残基のモル％に基づき１００モル％の１，４−ブタンジオールからの残基を含むジオール残基
を含んでなる嫌気的生分解性ポリエステル。
【請求項１９】
前記二酸残基がテレフタル酸からの残基４０〜４２モル％及びグルタル酸からの残基５８〜６０モル％を含む請求項１８に記載の嫌気的生分解性ポリエステル。
【請求項２０】
（Ｉ）（ａ）１００モル％に等しいポリエステル中の全二酸残基のモル％に基づき、３９〜４６モル％の芳香族ジカルボン酸からの残基及び５４〜６１モル％の非芳香族ジカルボン酸からの残基を含む二酸残基；並びに
（ｂ）１００モル％に等しいポリエステル中の全ジオール残基のモル％に基づき、８５〜１００モル％の１，４−ブタンジオールからの残基及び０〜１５モル％の別のジオールからの残基を含むジオール残基
を含んでなるポリエステル；並びに
（ＩＩ）熱可塑性澱粉
を含んでなる嫌気的生分解性組成物。
【請求項２１】
前記芳香族ジカルボン酸がテレフタル酸、イソフタル酸、５−スルホイソフタル酸及び２，６−ナフタレンジカルボン酸からなる群から選ばれる請求項２０に記載の嫌気的生分解性組成物。
【請求項２２】
前記非芳香族ジカルボン酸がグルタル酸及びアジピン酸からなる群から選ばれる請求項２０に記載の嫌気的生分解性組成物。
【請求項２３】
前記の別のジオールがエチレングリコール、ジエチレングリコール、１，３−プロパンジオール、１，５−ペンタンジオール、１，６−ヘキサンジオール及び１，４−シクロヘキサンジメタノールからなる群から選ばれる請求項２０に記載の嫌気的生分解性組成物。
【請求項２４】
前記二酸残基が芳香族ジカルボン酸４１〜４３モル％及び非芳香族ジカルボン酸５７〜５９モル％を含む請求項２０に記載の嫌気的生分解性組成物。
【請求項２５】
前記芳香族ジカルボン酸がテレフタル酸であり、且つ前記テレフタル酸の５モル％以下が、イソフタル酸、５−スルホイソフタル酸又は２，６−ナフタレンジカルボン酸で置き換えられている請求項２０に記載の嫌気的生分解性ポリエステル。
【請求項２６】
５〜７０重量％の熱可塑性澱粉を含む請求項２０に記載の嫌気的生分解性組成物。
【請求項２７】
カルシウム、マグネシウム、ナトリウム、カリウム、チタン、珪素及びアルミニウムからなる群から選ばれた金属イオンを含む無機塩０．１〜６０重量％を更に含む請求項２０に記載の嫌気的生分解性組成物。
【請求項２８】
前記無機塩がタルク、炭酸カルシウム、炭酸マグネシウム、炭酸カリウム、炭酸ナトリウム、塩化カルシウム、塩化マグネシウム、燐酸カルシウム、酸化チタン、シリコーンオキサイド、酸化アルミニウム及びそれらの混合物からなる群から選ばれる請求項２７に記載の嫌気的生分解性組成物。
【請求項２９】
加工助剤、充填剤、界面活性剤、可塑剤、相容化剤、耐衝撃性改良剤、成核剤、酸化防止剤、熱もしくは紫外線安定剤、着色剤、帯電防止剤、潤沢剤、発泡剤、分散剤、増粘剤、抗菌剤又はそれらの混合物を更に含む請求項２０に記載の嫌気的生分解性組成物。
【請求項３０】
前記ポリエステルが、二酸残基の総モルに基づき、１５モル％以下のヒドロキシカルボン酸残基を更に含む請求項２０に記載の嫌気的生分解性組成物。
【請求項３１】
前記ヒドロキシカルボン酸残基がγ−ブチロラクトン、カプロラクトン、乳酸、４−ヒドロキシブタン酸，４−ヒドロキシ吉草酸、４−ヒドロキシヘキサン酸、４−ヒドロキシオクタン酸、ポリヒドロキシブチレート、ポリヒドロキシブチレート−ｃｏ−バレレート、ポリヒドロキシブチレート−ｃｏ−オクタノエート、ポリヒドロキシブチレート−ｃｏ−ヘキサノエート、ポリカプロラクトン及びポリ乳酸からなる群から得られる請求項３０に記載の脂肪族−芳香族組成物。
【請求項３２】
（Ｉ）（ａ）１００モル％に等しいポリエステル中の全二酸残基のモル％に基づき、３９〜４３モル％の芳香族ジカルボン酸からの残基及び５７〜６１モル％の非芳香族ジカルボン酸からの残基を含む二酸残基；並びに
（ｂ）１００モル％に等しいポリエステル中の全ジオール残基のモル％に基づき、８５〜１００モル％の１，４−ブタンジオールからの残基及び０〜８５モル％の別のジオールからの残基を含むジオール残基
を含むポリエステル；並びに
（ＩＩ）無機塩
を含んでなる嫌気的生分解性組成物。
【請求項３３】
前記芳香族ジカルボン酸がテレフタル酸、イソフタル酸、５−スルホイソフタル酸及び２，６−ナフタレンジカルボン酸からなる群から選ばれる請求項３２に記載の嫌気的生分解性組成物。
【請求項３４】
前記非芳香族ジカルボン酸がグルタル酸及びアジピン酸からなる群から選ばれる請求項３２に記載の嫌気的生分解性組成物。
【請求項３５】
前記の別のジオールがエチレングリコール、ジエチレングリコール、１，３−プロパンジオール、１，５−ペンタンジオール、１，６−ヘキサンジオール及び１，４−シクロヘキサンジメタノールからなる群から選ばれる請求項３２に記載の嫌気的生分解性組成物。
【請求項３６】
前記二酸残基が芳香族ジカルボン酸４０〜４２モル％及び非芳香族ジカルボン酸５８〜６０モル％を含む請求項３２に記載の嫌気的生分解性組成物。
【請求項３７】
前記芳香族ジカルボン酸がテレフタル酸であり、且つ前記テレフタル酸の５モル％以下が、イソフタル酸、５−スルホイソフタル酸又は２，６−ナフタレンジカルボン酸で置き換えられる請求項３２に記載の嫌気的生分解性ポリエステル。
【請求項３８】
前記無機酸がタルク、炭酸カルシウム、炭酸マグネシウム、炭酸カリウム、炭酸ナトリウム、塩化カルシウム、塩化マグネシウム、燐酸カルシウム、酸化チタン、シリコーンオキサイド、酸化アルミニウム及びそれらの混合物からなる群から選ばれる請求項３２に記載の嫌気的生分解性組成物。
【請求項３９】
加工助剤、充填剤、界面活性剤、可塑剤、相容化剤、耐衝撃性改良剤、成核剤、酸化防止剤、熱又は紫外線安定剤、着色剤、帯電防止剤、潤沢剤、発泡剤、分散剤、増粘剤、抗菌剤もしくはそれらの混合物を更に含む請求項３２に記載の嫌気的生分解性組成物。
【請求項４０】
前記ポリエステルが、二酸残基の総モルに基づき、１５モル％以下のヒドロキシカルボン酸残基を更に含む請求項３２に記載の嫌気的生分解性組成物。
【請求項４１】
前記ヒドロキシカルボン酸残基がγ−ブチロラクトン、カプロラクトン、乳酸、４−ヒドロキシブタン酸，４−ヒドロキシ吉草酸、４−ヒドロキシヘキサン酸、４−ヒドロキシオクタン酸、ポリヒドロキシブチレート、ポリヒドロキシブチレート−ｃｏ−バレレート、ポリヒドロキシブチレート−ｃｏ−オクタノエート、ポリヒドロキシブチレート−ｃｏ−ヘキサノエート、ポリカプロラクトン及びポリ乳酸からなる群から得られる請求項４０に記載の脂肪族−芳香族組成物。
【請求項４２】
請求項８に記載の嫌気的生分解性ポリエステルを含んでなる製品。
【請求項４３】
フィルム、繊維、不織布又は接着剤である請求項３２に記載の製品。
【請求項４４】
トップシート、バックシート及び前記トップシートと前記バックシートとの間に配置された吸収性層を含み、且つ前記トップシート又は前記バックシートの少なくとも一部が請求項８に記載の嫌気的生分解性ポリエステルを含む吸収性製品。
【請求項４５】
バレル及びプランジャーを含み、且つ前記バレル又は前記プランジャーの少なくとも一部が請求項８に記載の嫌気的生分解性ポリエステルを含むタンポンアプリケーターアセンブリ。